(57)【要約】【課題】降雪時屋根に雪が積雪する事又、滑落した雪が、屋根の軒下に堆積する為、屋根の雪降ろし作業と、堆積した雪の処理が大きな問題点で有る。【解決手段】本発明の積雪防止シートは、屋根を覆うシート裏面に設けている伸縮する袋体等を伸縮、膨張、振動を起動させ、屋根を覆うシートを起伏する事により、屋根を覆うシートに積雪した雪の滑落を促し、積雪防止シート下端を軒下より、遠く離れた箇所に結束し落雪を軒下外に堆積する事を最も主要な特徴とする。【選択図】図１
2006312857.tif 000002
【特許請求の範囲】
【請求項１】
重ね合せシート構造体シート部材で屋根を覆うシート部材裏面に、気密性伸縮性の袋体を設け、伸縮性の袋体に伸縮運動を起こす液体、気体の注入時の振動及び、袋体の伸縮運動による屋根を覆うシート部材の起伏により、降雪時の屋根覆うシート部材への着雪を阻止し、積雪を振動により落下を促し降雪時の屋根の積雪を防ぐ事を特徴とした特許請求項１の積雪防止シート。
【請求項２】
ループ状構造体シート部材で屋根を覆うシート部材裏面ループ状袋体内に伸縮性袋体、振動する部材を設け、降雪時の屋根への積雪を伸縮する袋体の起伏運動、振動による落下を促し屋根への積雪を防ぐ事を特徴とした特許請求項２の積雪防止シート。
【請求項３】
屋根を覆うシート部材端末にシート部材を取り付け、屋根端末よりシートを長くし、屋根に降雪した雪を屋根軒下より遠く外側に滑落させ堆積させる事を特徴とする特許請求項３の積雪防止シート。
【発明の詳細な説明】
【技術分野】
【０００１】  本発明は、除雪器具等に関する。
【背景技術】
【０００２】  積雪の為の雪の重さによる、家屋の崩壊から家屋を守る為に、降雪地域では、積雪シーズン数回程度の屋根の雪下ろしを必要としている。【０００３】  除雪機、除雪器具等の装置器具等は多種多様に市場に出回っている。【０００４】  しかし、降雪地域での屋根の雪の除雪に関しては、人力による雪降ろしが主流で有る。【０００５】  降雪時の屋根の積雪滑を落促する、積雪滑落装置およびそれを取り付けた切妻屋根と言う特許出願等の技術等が有るが、屋根にシート覆い切妻屋根の棟の上に位置する箇所に、伸縮する袋状の部材を設けている。【０００６】  伸縮する袋状の部材に空気を注入し袋体を膨張させ、屋根の棟に積雪している雪の滑落を促している。
【特許文献１】特開２００２−３５６９６０
【特許文献２】特願平０５−０００９１０
【特許文献３】特願平０８−３００９８５
【発明の開示】
【発明が解決しようとする課題】
【０００７】  解決しようとする課題は、降雪時屋根に雪が積雪する事又、滑落した雪が、屋根の軒下に堆積する為、屋根の雪降ろす作業と、堆積した雪の処理が大きな問題点で有る。
【課題を解決しようとする課題】
【０００８】  本発明の積雪防止シートは、屋根を覆うシート裏面に設けている伸縮する袋体等を伸縮、膨張、振動を起動させ、屋根を覆うシートを起伏する事により、屋根を覆うシートに積雪した雪の滑落を促し、積雪防止シート下端を軒下より、遠く離れた箇所に結束し落雪を軒下外に堆積する事を最も主要な特徴とする。
【発明の効果】
【０００９】  本発明の積雪防止シートは、ループ状袋体をしている為にシート裏面に袋体に、積雪地域による、積雪量に対応し適時の間隔に伸縮する袋体振動部材等を挿入し設置できる。
【０００９】  積雪地域による、積雪量に対応し屋根を覆うシートの軒下の長さを適時の長さに変える事が出来、屋根から、滑落した雪の堆積位置を変える事が出来る為軒下の雪の堆積面積が大きく、軒下の除雪を必要としない等の利点が有る。
【発明を実施する為の最良の形態】
【００１０】  屋根を覆うシートを、強力な接着剤を活用する事により、ループ状袋体が容易に出来、伸縮部材、振動部材をシート地裏面に挿入するだけで簡単に取り付ける事が実現した。
【実施例】
【００１１】  図１は、屋根を覆うシート部材１に、シート部材９をマジックテープ１０で取り付けた本発明の施工実施斜視図である。【００１２】  図２は、本発明の施工実施斜視図、屋根を覆うシート部材１で、シート地を重ね合せシート構造体としたシート部材２で屋根を覆う。【００１３】  図３は、本発明の施工実施斜視図、符号１は屋根を覆うシート部材で、シート地をループ状にした袋体符号３、屋根を覆うシート部材の設置状況本体斜視図である。【００１４】  図１のシート部材９下端にシートを張り固定する結束ロープを取り付けるハトメ孔５である。【００１５】  図１の屋根を覆うシート部材１をロープで張り固定する為のアンカー杭６である。【００１６】  屋根覆うシート部材１、シート部材９は、雪が付着し難い素材とし、低温でもシート地が軟弱性を要しシート部材９のシート端末をロープで張り固定する引っ張りに耐える強度を有していればどの様な素材、材質のシート地でも良い。【００１７】  屋根覆うシート部材１に取り付けるシート部材９は、既存の屋根端末部より、シート部材１が長くし、滑落する雪を軒下より遠くに堆積できる長さとする。【００１８】  屋根覆うシート部材１に取り付けるシート部材９の取り付け固定金具は、マジックテープ等として、取り付け取り外し機能を有するものであればどの様な部材を用いても良く又、冬期間以外は、シート部材９を取り外す収納が出来れば、どの様な部材等を用いても良い。【００１９】  図３、重ね合せシート構造体シート部材２の部分拡大図でシート部材２の裏面に伸縮性部材の袋体３取り付け固定する。【００２０】  図３、重ね合せシート構造体シート部材２の裏面に、伸縮性部材の袋体４をマジックテープ等で取り付け固定する。【００２１】  図３、重ね合せシート構造体シート部材２の裏面に、振動装置５をマジックテープ等で取り付け固定する。【００２２】  伸縮性部材の袋体４、振動装置５を取り付け固定出来る部材であれば、粘着テープ等を用いても良い。【００２３】  図４のループ状にしたシート部材袋体３は、雪が付着し難い素材とし、低温でもシート地が軟弱性を要し積雪に耐える適度の強度を有ればどの様な材質等を用いても良い。【００２４】  図４のループ状にしたシート部材３の裏面に伸縮性部材の袋体４挿入する。【００２５】  伸縮性部材袋体４を、ループ状袋体にしたシート部材３の裏面に挿入する際、図６の振動装置５も一緒に挿入し貼り付け固定する。【００２６】  図５の伸縮性部材袋体４は、柔軟な材料の膜として、ゴム状弾性材料の膜、またはゴム状弾性材料と織布材料とを積層した膜を用いても良い。【００２６】  図５の伸縮性部材袋体４は、寒冷地での低温に耐え、気密性を有し、水、空気を注入し積雪の重さに耐える適度の強度を有れば、どの様な部材、材質でも良い。【００２７】  伸縮性部材袋体４を起動する起動装置は、ブロワー、コンプレッサー、送風機、水中ポンプ、水道水の圧力等を用い伸縮性部材袋体４を伸縮させ、シート部材２、３を起伏させる。【００２８】  図６の振動装置５は、低周波、高周波等の振動を有す、積雪した雪の滑落を促する振動周波数であれば、どの様な周波数の振動装置を用いても良い。【００２９】  図６の振動装置５は、板状、丸��等の形状中央に振動部を設けた斜視図で有る。【００３０】  図４のループ状にしたシート部材３の裏面に、筒状のビニール等のホースを設け、筒状ホース内に送風機からの、圧力を有する空気を送風し、上記記述した効果を得ても良い。
【産業上の利用可能性】
【００３１】  屋根を覆うループ状シート部材３内の伸縮性袋体に水道水を貯める事により、冬以外の太陽熱によるに温水が得られ等通年を通ず、本発明の積雪防止シートを活用出来る。【００３３】  又、屋根を覆うシート部材を、紫外線等の劣化に耐える材質を用いると、屋根葺き材を不要とする等の効果、省エネルギーニに貢献できる。【００３４】  本発明の積雪防止シートを屋根葺き材として用いると、多機能を有する、屋根構造体となり、従来の屋根葺き材に取って変わる。
【図面の簡単な説明】
【００３５】
【図１】積雪防止シート斜視図
【図２】重ね合せシート構造体シート部材２の設置斜視図
【図３】ループ状にしたシート構造体のシート部材３の設置斜視図
【図４】重ね合せシート構造体シート部材２の部分拡大図
【図５】ループ状にしたシート部材袋体３の部分拡大図
【図６】伸縮性部材の袋体４の斜視図
【図７】振動装置
【符号の説明】
【００３６】１    屋根を覆うシート部材
２    重ね合せシート構造体のシート部材
３    ループ状にしたシート構造体のシート部材
４    伸縮性部材の袋体
５    振動装置（板状振動装置、棒状振動装置）
６    ハトメ孔
７    ロープを結束するアンカー杭
８    ホースジョイント（連結金具）
９    シート部材
１０  シート部材を取り付け固定する部材のマジックテープ
【図１】
2006312857.tif 000003
【図２】
2006312857.tif 000004
【図３】
2006312857.tif 000005
【図４】
2006312857.tif 000006
【図５】
2006312857.tif 000007
【図６】
2006312857.tif 000008
【図７】
2006312857.tif 000009